(57)【要約】【課題】足場の高さ中途位置から足場床の幅を変更可能とする足場用ブラケットを提供する。【解決手段】内側支柱(2a)と外側支柱(2b)のうち一方の支柱の上端部を足場の所定高さ中途位置(H)に配置し、該一方の支柱の上端部から偏位した位置に偏位支柱(2c)を立設可能とすることにより足場床の幅を変更可能とするブラケット(10)であり、一方の支柱の上端部に連結された状態で同軸状に立設される主軸部(11)と、主軸部(11)からＹ方向に離間した位置で鉛直姿勢を保持することにより、偏位支柱(2c)を同軸状に立設させる支持軸部(12)と、主軸部(11)の上端部と支持軸部(12)の上端部を連結する水平連結部(14)と、支持軸部(12)の下端部から前記主軸部(11)の下端部に至り斜めに延びる傾斜補強部(13)を備え、これらを相互に一体結合することにより剛体構造を形成する。【選択図】図７
2012241491.tif 000002
【特許請求の範囲】
【請求項１】
支柱部材(3)を上方に向けて順次連結することにより構築される仮設足場であり、建造物等の壁面に沿うＸ方向と該壁面に向かう遠近方向のＹ方向に関して、それぞれ前記Ｘ方向に所定間隔をあけて内側支柱(2a)と外側支柱(2b)を構築し、内側支柱を壁面の近傍に立設すると共に、外側支柱を内側支柱よりもＹ方向の外側に所定間隔をあけて立設し、前記Ｙ方向に対向する内側支柱と外側支柱を水平部材(6)で連結することにより両支柱間に足場空間(S)を形成すると共に、前記水平部材を介して形成される足場床(F)を低位から高位に向けて順次階層的に構築する構成において、
前記内側支柱と外側支柱のうち一方の支柱の上端部を足場の所定高さ中途位置(H)に配置すると共に、他方の支柱を前記所定高さ中途位置よりも上方に延設し、前記一方の支柱の上端部から前記Ｙ方向に偏位した位置に偏位支柱(2c)を立設可能とすることにより足場床の幅を変更可能とするブラケット(10)であり、
前記一方の支柱の上端部に連結された状態で同軸状に立設される主軸部(11)と、
前記主軸部(11)からＹ方向に離間した位置で鉛直姿勢を保持することにより、前記偏位支柱を同軸状に立設させる支持軸部(12)と、
前記主軸部(11)の上端部と支持軸部(12)の上端部を連結する水平連結部(14)と、
前記支持軸部(12)の下端部から前記主軸部(11)の下端部に至り斜めに延びる傾斜補強部(13)を備え、
前記主軸部(11)と支持軸部(12)と水平連結部(14)と傾斜補強部(13)を相互に一体結合することにより剛体構造を形成して成ることを特徴とする足場用ブラケット。
【請求項２】
前記傾斜補強部(13)の下端部に前記主軸部(11)の下端部に平行に接合される接合部(15)を形成し、前記接合部(15)と主軸部(11)の下端部の相互に連結金具(16)を添設した状態で一体結合して成ることを特徴とする請求項１に記載の足場用ブラケット。
【請求項３】
足場空間をＹ方向に拡幅する拡幅用ブラケットを構成し、
足場の所定高さ中途位置(H)に配置された外側支柱(2b)の上端部に主軸部(11)を同軸状に立設し、該外側支柱よりもＹ方向の外側に位置する支持軸部(12)に偏位支柱(2c)を同軸状に立設させるように構成され、
前記主軸部(11)に緊結手段(18)を設けており、該緊結手段(18)を介して主軸部(11)と内側支柱(2a)を水平部材(6)により連結するように構成して成ることを特徴とする請求項１又は２に記載の足場用ブラケット。
【請求項４】
足場空間をＹ方向に狭幅する狭幅用ブラケットを構成し、
足場の所定高さ中途位置(H)に配置された内側支柱(2a)の上端部に主軸部(11)を同軸状に立設し、該内側支柱よりもＹ方向の外側に位置する支持軸部(12)に偏位支柱(2c)を同軸状に立設させるように構成され、
前記支持軸部(12)に緊結手段(19)を設けており、該緊結手段(19)を介して支持軸部(12)と外側支柱(2b)を水平部材(6e)により連結するように構成して成ることを特徴とする請求項１又は２に記載の足場用ブラケット。
【請求項５】
足場空間をＹ方向に拡幅する拡幅用ブラケットと狭幅する狭幅用ブラケットを選択的に使用可能とする拡幅・狭幅兼用ブラケットを構成し、前記主軸部(11)と支持軸部(12)のそれぞれに緊結手段(18)(19)を設けており、
足場の所定高さ中途位置(H)に配置された外側支柱(2b)の上端部に主軸部(11)を立設し、該外側支柱よりもＹ方向の外側に位置する支持軸部(12)に偏位支柱(2c)を立設させる拡幅ブラケットとして使用するときは、主軸部(11)に設けた緊結手段(18)を介して該主軸部(11)と内側支柱(2a)を水平部材(6)により連結するように構成し、
足場の所定高さ中途位置(H)に配置された内側支柱(2a)の上端部に主軸部(11)を立設し、該内側支柱よりもＹ方向の外側に位置する支持軸部(12)に偏位支柱(2c)を立設させる狭幅ブラケットとして使用するときは、支持軸部(12)に設けた緊結手段(19)を介して該支持軸部(12)と外側支柱(2b)を水平部材(6e)により連結するように構成して成ることを特徴とする請求項１又は２に記載の足場用ブラケット。
【発明の詳細な説明】
【技術分野】
【０００１】
本発明は、仮設足場において低位から高位に向けて順次階層的に構築される足場床の幅を足場の高さ中途位置から変更可能とする足場用ブラケットに関する。
【背景技術】
【０００２】
従来、建設現場等において支柱部材を上方に向けて順次連結することにより構築される仮設足場は、建造物等の壁面に沿うＸ方向と該壁面に向かう遠近方向のＹ方向に関して、それぞれ前記Ｘ方向に所定間隔をあけて内側支柱と外側支柱を構築し、内側支柱を壁面の近傍に立設すると共に、外側支柱を内側支柱よりもＹ方向の外側に所定間隔をあけて立設し、前記Ｙ方向に対向する内側支柱と外側支柱を水平部材で連結することにより両支柱間に足場空間を形成すると共に、前記水平材に架設される足場床を低位から高位に向けて順次階層的に構築している。
【０００３】
従って、通常は、内側支柱と外側支柱がそれぞれ鉛直方向に一直線上に構築されるが、例えば、現場の敷地が狭い場合は、内側支柱と外側支柱の間隔が広く取れず、十分な幅の足場床を確保できないため、地上から何層か積み重ねた上方空間において、外側支柱をＹ方向の外側に偏位させることにより、足場床を拡幅する必要がある。反対に、十分な広さの敷地では内側支柱と外側支柱の間隔を広く取ることができるが、建造物等の壁面が高さ中途位置から外部に張り出す等の突出部を有する場合は、該突出部に対する内側支柱の干渉を回避するために、地上から何層か積み重ねた上方空間において、内側支柱をＹ方向の外側に偏位させることにより、足場床を狭幅する必要がある。
【先行技術文献】
【特許文献】
【０００４】
【特許文献１】特開２０１０−２０３１３８号公報
【発明の概要】
【発明が解決しようとする課題】
【０００５】
足場床の拡幅に関する従来技術を図９に示している。建造物等の壁面１に沿うＸ方向（符号Ｘは図示せず）と該壁面に向かう遠近方向のＹ方向に関して、それぞれ前記Ｘ方向に所定間隔をあけて内側支柱２ａと外側支柱２ｂが構築される。内側支柱２ａは、壁面１の近傍に立設され、鉛直軸線Ｄ１に沿って上方に延設され、外側支柱２ｂは、内側支柱２ａよりもＹ方向の外側に所定間隔をあけて立設され、鉛直軸線Ｄ２に沿って上方に延設される。内側支柱２ａ及び外側支柱２ｂは、所定長さの鋼管から成る支柱部材３を上方に向けて順次連結手段４を介して連結することにより構築され、前記Ｙ方向に対向する内側支柱２ａと外側支柱２ｂを相互に緊結手段５を介して水平部材６で連結することにより両支柱間に足場空間Ｓを形成すると共に、前記水平部材６に架設される足場板（図示せず）により足場床Ｆを形成する。従って、足場床Ｆは、低位から高位に向けて順次階層的に構築される。
【０００６】
そこで、拡幅を必要とする場合は、足場の所定中途高さ位置Ｈにおける所定階層の足場床Ｆに位置して、外側支柱２ｂからＹ方向の外側に向けて持ち送り枠７を組み立てることにより片持ち状に取付け、該持ち送り枠７の自由端の上に偏位支柱２ｃが立設される。偏位支柱２ｃも所定長さの鋼管から成る支柱部材３を上方に向けて順次連結することにより構築され、鉛直軸線Ｄ３に沿って上方に延設される。前記持ち送り枠７は、緊結手段５を介して外側支柱２ｂに連結される水平材７ａと、該水平材７ａを下方から外側支柱２ｂに支持させる補強材７ｂを組み付けている。
【０００７】
このようにして、前記水平材７ａに足場板を搭載することにより、所定階層の足場床Ｆから水平方向に拡張された拡幅足場床ｆが形成される。また、前記所定階層の足場床Ｆよりも上方の階層には、内側支柱２ａと外側支柱２ｂと偏位支柱２ｃの３本の支柱が平行に立設されているので、内側支柱２ａと外側支柱２ｂに架設した水平部材６により形成された上層階の足場床ＦＵに隣接して、外側支柱２ｂと偏位支柱２ｃに架設した拡幅水平部材６ａに足場板を搭載することにより拡幅足場床ｆｕが形成される。
【０００８】
この従来技術によれば、上層階における拡幅足場床ｆｕ及び偏位支柱２ｃの荷重は、持ち送り枠７と外側支柱２ｂの全体により支持されるので、各支柱２ａ、２ｂ、２ｃが鉛直軸線Ｄ１、Ｄ２、Ｄ３に沿う立設状態から湾曲等の歪みを生じる可能性は低く、仮設足場全体の剛性を保持することができる。
【０００９】
ところが、従来技術の場合、所定階層の足場床Ｆと拡幅足場床ｆの間のみならず、上層階における足場床ＦＵと拡幅足場床ｆｕの間に、外側支柱２ｂが立設されているので、作業者が足場床上で足場空間Ｓを往来する際の障害になり、拡幅による効果が乏しいという問題がある。
【００１０】
このため、図１０に示す変更技術例のように、持ち送り枠７を設けた所定階層の足場床Ｆの上方に外側支柱２ｂを立設せず、これにより障害物のない開放された作業空間ＳＯを形成し、上層階には、内側支柱２ａと偏位支柱２ｃを連結する長い水平部材６ｂにより、障害物のない足場床ＦＵと拡幅足場床ｆｕを同一平面上に形成することが望ましい。
【００１１】
しかしながら、このような変更技術例の場合は、上層階における拡幅足場床ｆｕや偏位支柱２ｃの荷重Ｐが持ち送り枠７に集中するので、該持ち送り枠７が下向きに傾くおそれがあり、それに伴い偏位支柱２ｃが図示矢印Ｑで示すように鉛直軸線Ｄ３から外向きに傾斜するおそれがある。そして、偏位支柱２ｃの軸線が僅かでも傾斜すると、上方に長く延びる偏位支柱２ｃの全体を鉛直軸線Ｄ３に沿う同軸心で保持できなくなるので、偏位支柱２ｃが歪み、それにより水平部材６ｂを介して内側支柱２ａを傾け、その結果、内側支柱２ａと偏位支柱２ｃがＳ字湾曲状に歪んでしまうという重大な問題を提起する。
【００１２】
この点に関して、図示のように、持ち送り枠７を強固に支持するための方杖８や、該方杖８の下端部を支持する外側支柱２ｂを補強するための補強水平材９を設ける等、特別な補強構造を加えれば、前記歪みを防止することが可能であるが、仮設足場の構築・解体が煩雑になるばかりか、前記補強水平材９が下層階の足場床ＦＬの障害物を生成するという問題がある。
【課題を解決するための手段】
【００１３】
本発明は、上記課題を解決した足場用ブラケットを提供するものであり、その手段として構成したところは、支柱部材を上方に向けて順次連結することにより構築される仮設足場であり、建造物等の壁面に沿うＸ方向と該壁面に向かう遠近方向のＹ方向に関して、それぞれ前記Ｘ方向に所定間隔をあけて内側支柱と外側支柱を構築し、内側支柱を壁面の近傍に立設すると共に、外側支柱を内側支柱よりもＹ方向の外側に所定間隔をあけて立設し、前記Ｙ方向に対向する内側支柱と外側支柱を水平部材で連結することにより両支柱間に足場空間を形成すると共に、前記水平部材を介して形成される足場床を低位から高位に向けて順次階層的に構築する構成において、前記内側支柱と外側支柱のうち一方の支柱の上端部を足場の所定高さ中途位置に配置すると共に、他方の支柱を前記所定高さ中途位置よりも上方に延設し、前記一方の支柱の上端部から前記Ｙ方向に偏位した位置に偏位支柱を立設可能とすることにより足場床の幅を変更可能とするブラケットであり、前記一方の支柱の上端部に連結された状態で同軸状に立設される主軸部と、前記主軸部からＹ方向に離間した位置で鉛直姿勢を保持することにより、前記偏位支柱を同軸状に立設させる支持軸部と、前記主軸部の上端部と支持軸部の上端部を連結する水平連結部と、前記支持軸部の下端部から前記主軸部の下端部に至り斜めに延びる傾斜補強部を備え、前記主軸部と支持軸部と水平連結部と傾斜補強部を相互に一体結合することにより剛体構造を形成して成る点にある。
【００１４】
この際、ブラケットは、前記傾斜補強部の下端部に前記主軸部の下端部に平行に接合される接合部を形成し、前記接合部と主軸部の下端部の相互に連結金具を添設した状態で一体結合することが好ましい。
【００１５】
本発明の実施形態において、ブラケットは、足場空間をＹ方向に拡幅する拡幅用ブラケットを構成することができる。この場合、ブラケットは、足場の所定高さ中途位置に配置された外側支柱の上端部に主軸部を同軸状に立設し、該外側支柱よりもＹ方向の外側に位置する支持軸部に偏位支柱を同軸状に立設させるように構成され、前記主軸部に緊結手段を設けており、該緊結手段を介して主軸部と内側支柱を水平部材により連結するように構成される。
【００１６】
本発明の実施形態において、ブラケットは、足場空間をＹ方向に狭幅する狭幅用ブラケットを構成することができる。この場合、足場の所定高さ中途位置に配置された内側支柱の上端部に主軸部を同軸状に立設し、該内側支柱よりもＹ方向の外側に位置する支持軸部に偏位支柱を同軸状に立設させるように構成され、前記支持軸部に緊結手段を設けており、該緊結手段を介して支持軸部と外側支柱を水平部材により連結するように構成される。
【００１７】
更に、本発明の好ましい実施形態において、ブラケットは、足場空間をＹ方向に拡幅する拡幅用ブラケットと狭幅する狭幅用ブラケットを選択的に使用可能とする拡幅・狭幅兼用ブラケットを構成することができる。この場合、前記主軸部と支持軸部のそれぞれに緊結手段を設けている。ブラケットを拡幅用ブラケットとして使用するときは、足場の所定高さ中途位置に配置された外側支柱の上端部に主軸部を立設し、該外側支柱よりもＹ方向の外側に位置する支持軸部に偏位支柱を立設させ、主軸部に設けた緊結手段を介して該主軸部と内側支柱を水平部材により連結する。ブラケットを狭幅用ブラケットとして使用するときは、足場の所定高さ中途位置に配置された内側支柱の上端部に主軸部を立設し、該内側支柱よりもＹ方向の外側に位置する支持軸部に偏位支柱を立設させ、支持軸部に設けた緊結手段を介して該支持軸部と外側支柱を水平部材により連結する。
【発明の効果】
【００１８】
本発明によれば、足場構築現場において、足場床の拡幅及び／又は狭幅が簡単な作業で行われ、しかも、構造が複雑な補強構造を加えなくても、上部の荷重を確実に支持することが可能であり、支柱の歪みを生じることなく、全体にわたり剛性を保持する強固な足場を構築できるという効果がある。
【００１９】
そして、拡幅に際しては、足場床と拡張足場床の間に図９に示す従来技術のような障害物を生成しないので、開放された作業空間を有効に利用できる足場床が形成され、拡幅による作業容易化の効果を発揮する。
【００２０】
ところで、拡幅及び／又は狭幅に際し、ブラケット１０が受ける荷重は、水平連結部１４に対するモーメントと、主軸部１１に対する垂直荷重として作用する。そこで、水平連結部１４は、傾斜補強部１３により強固に支持されているので、モーメントに耐え、水平姿勢を保持することができる。ところが、主軸部１１は、前記垂直荷重と、前記モーメントを支持する傾斜補強部１３の荷重により、下端近傍部１１ｂに応力集中を受けることになる。この点に関して、請求項２に記載の本発明によれば、傾斜補強部１３の下端部に主軸部１１の下端部１１ｂに対して平行に接合される接合部１５を形成し、前記接合部１５と主軸部１１の下端部１１ｂの相互に連結金具１６を添設すると共に、一体結合しているので、主軸部１１の下端部１１ｂの剛性が最大限強化され、応力集中による歪み変形を防止できるという効果がある。
【００２１】
更に、請求項５に記載の本発明によれば、拡幅用ブラケットと狭幅用ブラケットを別々に準備する必要はなく、１つのブラケット１０により拡幅と狭幅を兼用できる利点がある。
【図面の簡単な説明】
【００２２】
【図１】本発明の１実施形態に係るブラケットを示す正面図である。
【図２】ブラケットの平面を示しており、（Ａ）は全体の平面図、（Ｂ）は支持軸部に設けた連結手段を示す平面図、（Ｃ）は連結手段の作用を示す平面図である。
【図３】拡幅ブラケットとしての使用状態を示す正面図である。
【図４】拡幅ブラケットとして使用した状態における付加的構成を示す正面図である。
【図５】狭幅ブラケットとしての使用状態を示す正面図である。
【図６】狭幅ブラケットとして使用した状態における付加的構成を示す正面図である。
【図７】ブラケットの作用を示す正面図である。
【図８】ブラケットの意匠に関する構成を示しており、（Ａ）は正面図、（Ｂ）は右側面図、（Ｃ）は左側面図、（Ｄ）は平面図、（Ｅ）は底面図であり、背面図は正面図と対称にあらわれるので省略している。
【図９】足場床の拡幅に関する従来技術を示す正面図である。
【図１０】足場床の拡幅に関する変更技術例を示す正面図である。
【発明を実施するための形態】
【００２３】
以下図面に基づいて本発明の好ましい実施形態を詳述する。
【００２４】
図１は、本発明の１実施形態に係るブラケットを示しており、ブラケット１０は、軸線Ｄｘ１に沿って延びる直管から成る鋼管等の金属管により主軸部１１を形成し、該主軸部１１から離間した位置に配置された鋼管等の金属管により、前記軸線Ｄｘ１と平行な軸線Ｄ３に沿う支持軸部１２と、該支持軸部１２の下端から前記主軸部１１の下端近傍部１１ｂに至り斜めに延びる傾斜補強部１３を形成し、主軸部１１の上端１１ａと支持軸部１２の上端１２ａを水平線ＨＬに合致するように揃えて配置し、水平な直管から成る鋼管等の金属管により形成された水平連結部１４の両端をそれぞれ両軸部１１及び１２の上端近傍部に溶接等により固着することにより連結している。
【００２５】
図示のように、主軸部１１の長さＬ１と支持軸部１２の長さＬ２は、Ｌ１＞Ｌ２に形成され、該支持軸部１２から斜めに延長された傾斜補強部１３の下端部は、前記軸線Ｄｘ１と平行な軸線Ｄｘ２に沿って主軸部１１の下端部に接合される接合部１５を備え、該接合部１５を連結金具１６により主軸部１１の下端近傍部１１ｂに溶接等で固着している。図示実施形態の場合、連結金具１６は横断面Ｕ形の鋼板等の金属板により形成され、円弧形の折曲部１６ａにより前記接合部１５を抱持すると共に溶接等で固着され、該折曲部１６ａから延びる一対の板状部１６ｂにより主軸部１１の下端近傍部１１ｂを挟持すると共に溶接等で固着されている。従って、主軸部１１の下端近傍部１１ｂは、一体化された接合部１５と連結金具１６により補強される。
【００２６】
このように、ブラケット１０は、前記主軸部１１と、１本の金属管を折曲することにより形成された支持軸部１２及び傾斜補強部１３と、水平連結部１４の全体を一体結合することにより、剛体構造を構成する。更に、図示実施形態の場合は、鋼管等の金属管から成る補強骨１７を設けており、該補強骨１７の両端をそれぞれ水平連結部１４の基端部（主軸部１１に近傍する部位）と傾斜補強部１３の中途部に溶接等で固着することにより剛性を高めている。
【００２７】
従来技術に関して説明したように、仮設足場を構成する内側支柱２ａ、外側支柱２ｂ、偏位支柱２ｃは、それぞれ相互に共通部材とされた鋼管等の金属管から成る支柱部材３を下位から上位に向けて順次連結することにより構築され、該支柱部材３の軸方向に所定間隔をあけて緊結手段５を設けており、これに対応して、ブラケット１０は、主軸部１１及び支持軸部１２（延長された傾斜補強部１３を含む金属管）を支柱部材３と同径同材とされた鋼管等の金属管により形成し、主軸部１１及び支持軸部１２の上端近傍部にそれぞれ前記緊結手段５と同一構成とされた緊結手段１８、１９を設けている。図示実施形態の場合、緊結手段１８、１９は、図２に示すように、主軸部１１及び支持軸部１２のそれぞれに溶接等で固着された鋼板等の金属板から成るフランジ２０を有し、該フランジ２０の放射方向に楔孔２１を形成した楔緊結式の緊結手段を構成している。尚、内側支柱２ａは、図示のように、所定高さ毎に壁つなぎ材により壁面１に固定される。
【００２８】
更に、上述のように、それぞれの支柱２ａ、２ｂ、２ｃを構成する支柱部材３は、下層側の支柱部材３の上端部に設けた連結手段４に上層側の支柱部材３の下端部を入れ子式に嵌合することにより連結されるものであり、これに対応して、ブラケット１０の支持軸部１２の上端には、前記連結手段４と同一構成とされた連結手段２２が設けられている。図示実施形態の場合、連結手段２２は、支持軸部１２に挿入固着される挿入部２３と、支持軸部１２の上端にほぼ同一外径として連設される径大部２４を有すると共に、該径大部２４から上方に突出する軸管部２５を備え、前記径大部２４と軸管部２５に跨がるロック手段２６を設けている。ロック手段２６は、図２（Ｂ）（Ｃ）に示すように、下端部に折曲形成されたスライド部２６ａを径大部２４の直径方向にスライド自在に挿通すると共に、上端に折曲形成されたロック部２６ｂを軸管部２５の周面に設けた孔に挿脱自在に挿入しており、前記スライド部２６ａに設けたスプリング２６ｃにより、常時はロック部２６ｂを孔に挿入するように弾発付勢されている。後述するように支持軸部１２の上に連結される偏位支柱２ｃの周面には、前記ロック部２６ａを挿入可能とする孔が設けられており、図２（Ｃ）に示すように前記ロック部２６ａを軸管部２５から離反させた状態で、偏位支柱２ｃを軸管部２５に外嵌した後、前記スプリング２６ｃを介してロック部２６ａを戻すと、該ロック部２６ａが偏位支柱２ｃの孔を挿通して軸管部２５の孔に挿入され、偏位支柱２ｃを抜止め状態となるようにロックする。
【００２９】
（拡幅用ブラケットの使用例）
本発明のブラケット１０を拡幅用ブラケットとして使用した場合の１例を図３に示している。上述の従来技術の説明と同様に、足場は、建造物等の壁面１に沿うＸ方向（符号Ｘは図示せず）に所定間隔をあけて内側支柱２ａと外側支柱２ｂを構築し、壁面１に向かう遠近方向のＹ方向に関して、内側支柱２ａは、壁面１の近傍に位置して鉛直軸線Ｄ１に沿うように立設され、外側支柱２ｂは、内側支柱２ａよりもＹ方向の外側に所定間隔をあけて鉛直軸線Ｄ２に沿うように立設される。内側支柱２ａ及び外側支柱２ｂは、所定長さの鋼管等の金属管から成る支柱部材３を上方に向けて順次連結手段４を介して連結することにより構築され、支柱部材３の上下方向に間隔をあけて緊結手段５を設けている。そこで、支柱部材３を上方に向けて順次連結する作業工程中に、前記Ｙ方向に対向する内側支柱２ａと外側支柱２ｂを相互に緊結手段５を介して水平部材６で連結することにより両支柱間に足場空間Ｓを形成すると共に、前記水平部材６に架設される足場板（図示せず）により足場床Ｆを形成する。従って、足場床Ｆは、低位から高位に向けて順次階層的に構築される。このため、図示省略しているが、上層階の足場床を設置する前に下層階の足場床から上層階の手摺体を設置する手摺先行工法を実施することが可能である。この際、ブラケット１０により拡幅された階層の足場床Ｆ、ｆには、図２（Ａ）に示すように、緊結手段１９を構成するフランジ２０の楔孔２１を利用することにより、先行手摺Ｇが取付けられる。
【００３０】
そこで、拡幅が必要とされる足場の所定高さ中途位置Ｈにおける所定階層の足場床Ｆに位置して、外側支柱２ｂの上端部は、該高さ中途位置Ｈから前記ブラケット１０の主軸部１１の長さＬ１に相当する距離だけ下方の高さ位置ｈに配置させられる。この際、外側支柱２ｂの上端部には前記連結手段４と同様の連結手段４ａが設けられている。尚、内側支柱２ａは、前記高さ中途位置Ｈを超えて所望の高さまで上方に延長される。
【００３１】
ブラケット１０は、主軸部１１を外側支柱２ｂの上端部に立設させられる。具体的には、外側支柱２ｂの上端部に設けられた連結手段４ａの軸管部に主軸部１１の下端部を外嵌し、上述のロック手段２６と同様のロック手段により抜止め状にロックし、これにより主軸部１１を外側支柱２ｂと同軸状態に保持する。そして、相互に対向する主軸部１１の上端部と内側支柱２ａを水平部材６により連結することにより、ブラケット１０の取付けが完了する。
【００３２】
この状態において、前記水平部材６とブラケット１０の水平連結部１４が所定高さ中途位置Ｈに臨むので、水平部材６に搭載される足場板により形成される足場床Ｆと同一平面上で、水平連結部１４に搭載される足場板により拡張された拡幅足場床ｆが形成される。
【００３３】
ブラケット１０を取付けた状態で、鉛直軸線Ｄ３を保持する支持軸部１２の上に偏位支柱２ｃが立設される。上述のように、支持軸部１２の上端部には連結手段２２が設けられているので、該連結手段２２の軸管部２５に偏位支柱２ｃの下端部を外嵌すると共にロック手段２６により抜止め状にロックされる。これにより、偏位支柱２ｃは、支持軸部１２と同軸状態を保持される。
【００３４】
前記所定高さ中途位置Ｈにおいて拡幅足場床ｆを形成された所定階層の足場床Ｆよりも上方の階層には、内側支柱２ａと偏位支柱２ｃが鉛直方向に平行に立設されるので、内側支柱２ａと偏位支柱２ｃを長い水平部材６ｃで連結し、該水平部材６ｃに足場板を搭載することにより、足場床ＦＵと拡幅足場床ｆｕが同一平面上に形成される。このような上層階の足場床に関しても、支柱部材３を上方に順次連結することにより内側支柱２ａと偏位支柱２ｃを延長しながら構築する際に、上述の手摺先行工法を実施することが可能である。
【００３５】
（拡幅用ブラケットの使用例における付加的構成）
上述のように拡幅用ブラケット１０を使用することにより足場の足場床を拡幅する際、本発明は、図４に示すような付加的構成を妨げるものではない。
【００３６】
例えば、支持軸部１２に設けた連結手段２２と同様の連結手段２２ａを主軸部１１の上端部に設けることにより、鉛直軸線Ｄ２に沿って主軸部１１の上に支柱部材３ａを立設しても良い。これにより、前記支柱部材３ａと偏位支柱２ｃを相互に緊結手段５を介して補強水平材６ｄにより連結できるので、上部からブラケット１０に向けて集中する荷重を、前記支柱部材３ａを介して外側支柱２ｂに作用させ分散することが可能となる。尚、前記支柱３ａは、１本のみならず複数本でも良いが、上層階の足場床ＦＵを超えない本数及び長さとするのが好ましく、これにより上層階の足場床ＦＵに障害物を生成することはない。
【００３７】
また、ブラケット１０の主軸部１１と、該主軸部１１を支持する外側支柱２ｂの両者に跨がって、鉛直補強材２７を添設することにより、簡単な構成で連結手段４ａの部位における外側支柱２ｂと主軸部１１の接合個所を補強することができる。
【００３８】
（狭幅用ブラケットの使用例）
本発明のブラケット１０を狭幅用ブラケットとして使用した場合の１例を図５に示している。上述の場合と同様に、鉛直軸線Ｄ１に沿う内側支柱２ａと、鉛直軸線Ｄ２に沿う外側支柱２ｂが立設され、Ｙ方向に対向する内側支柱２ａと外側支柱２ｂを相互に緊結手段５を介して水平部材６で連結することにより両支柱間に足場空間Ｓが形成され、前記水平部材６に架設される足場板（図示せず）により足場床Ｆが形成される。この場合も、上層階の足場床を設置する前に下層階の足場床から上層階の手摺体を設置する手摺先行工法を実施することが可能である。
【００３９】
狭幅が必要とされる足場の所定高さ中途位置Ｈにおける所定階層の足場床Ｆに位置して、内側支柱２ａの上端部は、該高さ中途位置Ｈから前記ブラケット１０の主軸部１１の長さＬ１に相当する距離だけ下方の高さ位置ｈに配置させられる。この際、内側支柱２ａの上端部には前記連結手段４と同様の連結手段４ａが設けられている。尚、外側支柱２ｂは、前記高さ中途位置Ｈを超えて所望の高さまで上方に延長される。
【００４０】
ブラケット１０は、主軸部１１を内側支柱２ａの上端部に立設させられる。具体的には、内側支柱２ａの上端部に設けられた連結手段４ａの軸管部に主軸部１１の下端部を嵌合し、上述のロック手段２６と同様のロック手段により抜止め状にロックし、これにより主軸部１１を内側支柱２ａと同軸状態に保持する。そして、相互に対向する主軸部１１の上端部と外側支柱２ｂを短い水平部材６ｅにより連結することにより、ブラケット１０の取付けが完了する。
【００４１】
この状態において、前記水平部材６ｅとブラケット１０の水平連結部１４が所定高さ中途位置Ｈに臨み、水平部材６ｅに足場板を搭載することにより狭幅された足場床Ｆｓが形成される。ブラケット１０の水平連結部１４には、足場板を搭載しても搭載しなくても良いが、搭載した場合は、下層階の足場床ＦＬと同じ幅になるように補助足場床ｆｓを形成することが可能となる。
【００４２】
ブラケット１０を取付けた状態で、鉛直軸線Ｄ３を保持する支持軸部１２の上に偏位支柱２ｃが立設される。上述のように、支持軸部１２の上端部には連結手段２２が設けられているので、該連結手段２２の軸管部２５に偏位支柱２ｃの下端部を嵌合すると共にロック手段２６により抜止め状にロックされる。これにより、偏位支柱２ｃは、支持軸部１２と同軸状態を保持される。
【００４３】
前記所定高さ中途位置Ｈに形成された所定階層の足場床Ｆｓよりも上方の階層には、外側支柱２ｂと偏位支柱２ｃが平行に立設されるので、外側支柱２ｂと偏位支柱２ｃを短い水平部材６ｅで連結し、該水平部材６ｅに足場板を搭載することにより、狭幅された足場床ＦｓＵが形成される。このような上層階の足場床に関しても、支柱部材３を上方に順次連結することにより外側支柱２ｂと偏位支柱２ｃを延長しながら構築する際に、上述の手摺先行工法を実施することが可能である。この場合、ブラケット１０により狭幅された足場床Ｆｅには、前記水平部材６ｅを連結する外側支柱２ｂの緊締手段５を利用することにより、先行手摺が取付けられる。
【００４４】
（狭幅用ブラケットの使用例における付加的構成）
上述のように狭幅用ブラケット１０を使用することにより足場の足場床を狭幅する際、本発明は、図６に示すような付加的構成を妨げるものではない。
【００４５】
例えば、支持軸部１２に設けた連結手段２２と同様の連結手段２２ａを主軸部１１の上端部に設けることにより、鉛直軸線Ｄ１に沿って主軸部１１の上に支柱部材３ａを立設しても良い。これにより、前記支柱部材３ａと偏位支柱２ｃを相互に緊結手段５を介して補強水平材６ｄにより連結できるので、上部からブラケット１０に向けて集中する荷重を、前記支柱部材３ａを介して内側支柱２ａに作用させ分散することが可能となる。尚、前記支柱３ａは、１本のみならず複数本でも良く、狭幅の目的を妨げない限度で上方に延設することが可能である。
【００４６】
また、ブラケット１０の主軸部１１と、該主軸部１１を支持する内側支柱２ａの両者に跨がって、鉛直補強材２７を添設することにより、簡単な構成で連結手段４ａの部位における内側支柱２ａと主軸部１１の接合個所を補強することができる。
【００４７】
（ブラケットの作用）
上記構成によれば、拡幅及び狭幅の何れの使用態様においても、図７に示すように、ブラケット１０は、主軸部１１が下側の支柱２（拡幅の場合は外側支柱２ｂ、狭幅の場合は内側支柱２ａ）と鉛直軸線Ｄｘ１に沿って同軸状態で保持されており、支持軸部１２が上側の偏位支柱２ｃを鉛直軸線Ｄ３に沿って同軸状態で保持し、主軸部１１と支持軸部１２を水平連結部１４と傾斜補強部１３により結合一体化すると共に、傾斜補強部１３の下端部に設けた接合部１５を主軸部１１と平行させた状態で固着している。従って、上部からブラケット１０に作用する荷重Ｐは、ほぼ直角三角形状に枠組された剛体構造のブラケット１０により好適に支持され、しかも、鉛直軸線Ｄｘ１に沿う軸心ずれのない同軸の下側支柱２に好適に伝達させ支持することができる。その結果、図１０に基づいて説明した変更技術例のような歪みを生じることはない。
【００４８】
ところで、ブラケット１０が受ける荷重は、水平連結部１４に対するモーメントと、主軸部１１に対する垂直荷重として作用するが、水平連結部１４は、傾斜補強部１３により強固に支持され、しかも、傾斜補強部１３を補強骨１７により補強しているので、モーメントに耐え、水平姿勢を保持し、これにより支持軸部１２を鉛直姿勢に保持する。その一方において、主軸部１１は、前記垂直荷重と、前記モーメントを支持する傾斜補強部１３の荷重により、下端近傍部１１ｂに応力集中を受けるが、上述のように、傾斜補強部１３の下端部に主軸部１１の下端部１１ｂに対して平行に接合される接合部１５を形成し、前記接合部１５と主軸部１１の下端部１１ｂを連結金具１６により抱持ないし挟持した状態で、溶接等で一体結合され、主軸部１１の下端部１１ｂの剛性を強化しているので、応力集中による歪み変形等を生じることはなく、下側の支柱２（拡幅の場合は外側支柱２ｂ、狭幅の場合は内側支柱２ａ）に対して鉛直軸線Ｄｘ１に沿う軸心ずれのない同軸状態を良好に保持する。
【００４９】
そして、ブラケット１０は、それぞれ主軸部１１と支持軸部１２の上端部に緊結手段１８、１９を設けているので、図３に示すような拡幅用ブラケットと、図５に示すような狭幅用ブラケットを選択的に使用可能とする拡幅・狭幅兼用ブラケットを提供できる利点がある。
【符号の説明】
【００５０】
１  壁面
２ａ  内側支柱
２ｂ  外側支柱
２ｃ  偏位支柱
３  支柱部材
４  連結手段
５  緊結手段
６  水平部材
１０  ブラケット
１１  主軸部
１２  支持軸部
１３  傾斜補強部
１４  水平連結部
１５  接合部
１６  連結金具
１７  補強骨
１８、１９  緊結手段
２２  連結手段
２６  ロック手段
【図１】
2012241491.tif 000003
【図２】
2012241491.tif 000004
【図３】
2012241491.tif 000005
【図４】
2012241491.tif 000006
【図５】
2012241491.tif 000007
【図６】
2012241491.tif 000008
【図７】
2012241491.tif 000009
【図８】
2012241491.tif 000010
【図９】
2012241491.tif 000011
【図１０】
2012241491.tif 000012